(57)【特許請求の範囲】
【請求項１】
後面及び一側面を開放し、下方に凸の円弧状をなす正面視形状の内底面（ｆ１）を備えた扁平函型の外ケース（Ａ）内に、前面を開放し、内底面（ｆ１）を摺動する下方に凸の円弧状をなす正面視形状の外底面（ｆ２）を備えた扁平函型の内ケース（Ｂ）を、内底面（ｆ１）と外底面（ｆ２）との摺動による相対的な揺動が可能に、且つ、所定角度の相対的な揺動が可能に嵌合し、内ケース（Ｂ）内に粒状物の収容部（３９）と、収容部（３９）に連続する取出部（３８）を画成し、内ケース（Ｂ）を外ケース（Ａ）に対して揺動させた際に、取出部（３８）のみが開口する如く構成した粒状物用ケースにおいて、
外ケース（Ａ）の内底面（ｆ１）に連続する正面視円弧状の連続内底面（ｆ１ａ）を備えるとともに、連続内底面（ｆ１ａ）の先端所定位置に係止突部（１６）を突設した第１延長底壁（１５）を設け、内ケース（Ｂ）の外底面（ｆ２）に連続する正面視円弧状の連続外底面（ｆ２ａ）を備えた第２延長底壁（３５）を設け、第１延長底壁（１５）の係止突部（１６）に第２延長底壁（３５）の先端が係止されて上記所定角度の相対的な揺動が可能に構成したことを特徴とする粒状物用ケース。
【請求項２】
外ケース（Ａ）の外部頂壁（１１）を曲率半径の大きい上方に凸の円弧板状をなす正面視形状に湾曲形成するとともに、内ケース（Ｂ）の内部頂壁（３１）を外部頂壁（１１）内面を摺動する曲率半径の大きい上方に凸の円弧板状をなす正面視形状に湾曲形成し、外ケース（Ａ）の外部底壁（１３）及び第１延長底壁（１５）を下方に凸の優弧板状をなす正面視形状に湾曲形成するとともに、内ケース（Ｂ）の内部底壁（３４）及び第２延長底壁（３５）を外ケース（Ａ）の内底面（ｆ１）を摺動する下方に凸の優弧板状をなす正面視形状に湾曲形成した請求項１に記載の粒状物用ケース。
【請求項３】
外ケース（Ａ）の外部頂壁（１１）の後縁に沿って上部係止突条（１７）を垂設するとともに、外部底壁（１３）の後縁に沿って下部係止突条（１８）を起立し、内ケース（Ｂ）の内部頂壁（３１）の後縁に沿って上部係止突条（１７）が摺動可能に嵌合する上部係合凹条（４０）を凹設するとともに、内ケース（Ｂ）の内部底壁（３４）の後縁に沿って下部係止突条（１８）が摺動可能に嵌合する下部係合凹条（４１）を凹設した請求項２に記載の粒状物用ケース。
【請求項４】
外ケース（Ａ）の内底面（ｆ１）及び外ケース（Ａ）の外部頂壁（１１）下面をそれぞれ凹凸面（１４）として形成し、内ケース（Ｂ）の外底面（ｆ２）及び内ケース（Ｂ）の内部頂壁（３１）上面を、上記凹凸面（１４）と容易な乗越えが可能な凹凸面部（４２）として形成した請求項２乃至請求項３のいずれか１項に記載の粒状物用ケース。
【請求項５】
外ケース（Ａ）の前壁（１０）前面及び内ケース（Ｂ）の後壁（３０）後面のいずれか一方、又は両方に滑り止め用の凹凸（２０）を形成した請求項１乃至請求項４のいずれか１項に記載の粒状物用ケース。
【発明の詳細な説明】
【技術分野】
【０００１】
本発明は粒状物用ケースに関する。
【背景技術】
【０００２】
内部に粒状物を収容し、簡単な操作で収容物を振り出せる如く構成した粒状物用ケースが種々提案されている。（例えば、特許文献１を参照）
【０００３】
上記特許文献１に記載されたものは、上下両面閉塞でかつ角部を有しない筒状に形成した粒状物収納ケースの筒部外周面に、単数乃至複数の第１振り出し孔を有する浅溝を周設するとともに、該浅溝内へ第２振出孔付きの環状ベルトを、該ベルトが第１振出孔を閉塞する第１状態と、第１振出孔と第２振出孔とが連通する第２状態との間をスライド可能に巻装し、かつ、スライド操作用の指当て部を環状ベルト外面に付設したことを特徴としている。
【先行技術文献】
【特許文献】
【０００４】
【特許文献１】特開２００１−３１５８６５号公報
【発明の概要】
【発明が解決しようとする課題】
【０００５】
上記従来のケースでは環状ベルトを装着させるためにケースの構造が複雑になる傾向があった。また、上記従来のケースではケース開放に当たり、ケースの筒部外周面に沿って環状ベルトを、ケースの第１振出孔とベルトの第２振出孔とが連通する状態にスライドさせることで行っている。
【０００６】
本発明はきわめて簡単な構造でしかも片手での簡単な操作での使用が可能であり、また、内外ケースを相対的に揺動させるという斬新な開閉操作により取出部の開閉が可能な粒状物用ケースを提案する。
【課題を解決するための手段】
【０００７】
第１の手段として、以下の通り構成した。即ち、後面及び一側面を開放し、下方に凸の円弧状をなす正面視形状の内底面ｆ１を備えた扁平函型の外ケースＡ内に、前面を開放し、内底面ｆ１を摺動する下方に凸の円弧状をなす正面視形状の外底面ｆ２を備えた扁平函型の内ケースＢを、内底面ｆ１と外底面ｆ２との摺動による相対的な揺動が可能に、且つ、所定角度の相対的な揺動が可能に嵌合し、内ケースＢ内に粒状物の収容部３９と、収容部３９に連続する取出部３８を画成し、内ケースＢを外ケースＡに対して揺動させた際に、取出部３８のみが開口する如く構成した粒状物用ケースにおいて、
外ケースＡの内底面ｆ１に連続する正面視円弧状の連続内底面ｆ１ａを備えるとともに、連続内底面ｆ１ａの先端所定位置に係止突部１６を突設した第１延長底壁１５を設け、内ケースＢの外底面ｆ２に連続する正面視円弧状の連続外底面ｆ２ａを備えた第２延長底壁３５を設け、第１延長底壁１５の係止突部１６に第２延長底壁３５の先端が係止されて上記所定角度の相対的な揺動が可能に構成した。
【０００９】
第２の手段として、以下の通り構成した。即ち、前記第１の手段に於いて、外ケースＡの外部頂壁１１を曲率半径の大きい上方に凸の円弧板状をなす正面視形状に湾曲形成するとともに、内ケースＢの内部頂壁３１を外部頂壁１１内面を摺動する曲率半径の大きい上方に凸の円弧板状をなす正面視形状に湾曲形成し、外ケースＡの外部底壁１３及び第１延長底壁１５を下方に凸の優弧板状をなす正面視形状に湾曲形成するとともに、内ケースＢの内部底壁３４及び第２延長底壁３５を外ケースＡの内底面ｆ１を摺動する下方に凸の優弧板状をなす正面視形状に湾曲形成した。
【００１０】
第３の手段として、以下の通り構成した。即ち、前記第２の手段に於いて、外ケースＡの外部頂壁１１の後縁に沿って上部係止突条１７を垂設するとともに、外部底壁１３の後縁に沿って下部係止突条１８を起立し、内ケースＢの内部頂壁３１の後縁に沿って上部係止突条１７が摺動可能に嵌合する上部係合凹条４０を凹設するとともに、内ケースＢの内部底壁３４の後縁に沿って下部係止突条１８が摺動可能に嵌合する下部係合凹条４１を凹設した。
【００１１】
第４の手段として、以下の通り構成した。即ち、前記第２の手段乃
至第３の手段のいずれかの手段に於いて、外ケースＡの内底面ｆ１及び外ケースＡの外部頂壁１１下面をそれぞれ凹凸面１４として形成し、内ケースＢの外底面ｆ２及び内ケースＢの内部頂壁３１上面を、上記凹凸面１４と容易な乗越えが可能な凹凸面部４２として形成した。
【００１２】
第５の手段として、以下の通り構成した。即ち、前記第１の手段乃至前記第４の手段のいずれかの手段に於いて、外ケースＡの前壁１０前面及び内ケースＢの後壁３０後面のいずれか一方、又は両方に滑り止め用の凹凸２０を形成した。
【発明の効果】
【００１３】
本発明によれば、後面及び一側面を開放し、下方に凸の円弧状をなす正面視形状の内底面ｆ１を備えた扁平函型の外ケースＡ内に、前面を開放し、内底面ｆ１を摺動する下方に凸の円弧状をなす正面視形状の外底面ｆ２を備えた扁平函型の内ケースＢを、内底面ｆ１と外底面ｆ２との摺動による相対的な揺動が可能に、且つ、所定角度の相対的な揺動が可能に嵌合し、内ケースＢ内に粒状物の収容部３９と、収容部３９に連続する取出部３８を画成し、内ケースＢを外ケースＡに対して揺動させた際に、取出部３８のみが開口する如く構成しているので、その構造は極めて簡単であり、また、取出部３８の開閉操作も内ケースＢ及び外ケースＡの相対的な揺動で行えるため、片手での簡単な開閉が可能であり、いままでにない新しい取り扱い感覚での開閉が可能であるという特徴がある。
【００１４】
外ケースＡの内底面ｆ１に連続する正面視円弧状の連続内底面ｆ１ａを備えるとともに、連続内底面ｆ１ａの先端所定位置に係止突部１６を突設した第１延長底壁１５を設け、内ケースＢの外底面ｆ２に連続する正面視円弧状の連続外底面ｆ２ａを備えた第２延長底壁３５を設け、第１延長底壁１５の係止突部１６に第２延長底壁３５の先端が係止されて上記所定角度の相対的な揺動が可能に構成した場合には、外ケースＡ内に内ケースＢが収納された状態から、係止突部１６に第２延長底壁３５の先端が係止される取出部３８開放状態までを、手の感触で、しかも片手での開閉操作を容易に行える利点がある。
【００１５】
外ケースＡの外部頂壁１１を曲率半径の大きい上方に凸の円弧板状をなす正面視形状に湾曲形成するとともに、内ケースＢの内部頂壁３１を外部頂壁１１内面を摺動する曲率半径の大きい上方に凸の円弧板状をなす正面視形状に湾曲形成し、外ケースＡの外部底壁１３及び第１延長底壁１５を下方に凸の優弧板状をなす正面視形状に湾曲形成するとともに、内ケースＢの内部底壁３４及び第２延長底壁３５を外ケースＡの内底面ｆ１を摺動する下方に凸の優弧板状をなす正面視形状に湾曲形成した場合には、内ケースＢの上下を外ケースＡの上下に摺動可能に係止するため、ガタツキがなく、また、内ケースＢも外ケースＡも壁部を極力均一な厚みで形成できて収容部を極力大きく形成でき、収納効率が良いという利点がある。
【００１６】
外ケースＡの外部頂壁１１の後縁に沿って上部係止突条１７を垂設するとともに、外部底壁１３の後縁に沿って下部係止突条１８を起立し、内ケースＢの内部頂壁３１の後縁に沿って上部係止突条１７が摺動可能に嵌合する上部係合凹条４０を凹設するとともに、内ケースＢの内部底壁３４の後縁に沿って下部係止突条１８が摺動可能に嵌合する下部係合凹条４１を凹設した場合には、外ケースＡから内ケースＢが前後方向に外れることを確実に防止することができ、しかもシンプルな構造であるため、外ケースＡ内への内ケースＢの嵌着も極めて容易に行える利点を兼ね備える。
【００１７】
外ケースＡの内底面ｆ１及び外ケースＡの外部頂壁１１下面をそれぞれ凹凸面１４として形成し、内ケースＢの外底面ｆ２及び内ケースＢの内部頂壁３１上面を、上記凹凸面１４と容易な乗越えが可能な凹凸面部４２として形成した場合には、振動等によりかってに内ケースＢが外ケースＡに対して揺動してしまうという不都合を確実に防止できる。
【００１８】
外ケースＡの前壁１０前面及び内ケースＢの後壁３０後面のいずれか一方、又は両方に滑り止め用の凹凸２０を形成した場合には、粒状物用ケースの開閉がより容易となる。
【図面の簡単な説明】
【００１９】
【図１】粒状物用ケースの縦断面図である。（実施例１）
【図２】粒状物用ケースの外ケースの縦断面図である。（実施例１）
【図３】粒状物用ケースの内ケースの縦断面図である。（実施例１）
【図４】粒状物用ケースの開放状態の縦断面図である。（実施例１）
【図５】粒状物用ケースの斜視図である。（実施例１）
【図６】粒状物用ケースの開放状態の斜視図である。（実施例１）
【図７】粒状物用ケースの背面からみた斜視図である。（実施例１）
【図８】粒状物用ケースの開放状態の背面からみた斜視図である。（実施例１）
【発明を実施するための形態】
【００２０】
以下、本発明の形態を図面を参照して説明する。
【００２１】
図１乃至図８は粒状物用ケース１の一例を示し、粒状物用ケース１は、外ケースＡと、内ケースＢとを備えている。尚、図１に於ける縦断面図は正面から見た状態のものであり、図１に於いて外ケースＡ及び内ケースＢともに、手前が前部で後方が後部であり、左側が左側部で右側が右側部であると定義しており、それに伴って名称を付設している。
【００２２】
外ケースＡは合成樹脂製で、後面及び一側面を開放し、正面視円弧状の内底面ｆ１を備えた扁平函型をなし、本例では図２に示す如く、前壁１０と、前壁１０の上端より後方へ延設した外部頂壁１１と、外部頂壁１１に連続するとともに、前壁１０の右側縁より後方へ延設した外部右側壁１２と、外部右側壁１２に連続するとともに、前壁１０の下端縁より後方へ延設した正面視円弧板状をなす外部底壁１３とを備えている。外部頂壁１１は曲率半径の大きい上方に凸の円弧板状をなす正面視形状をなしており、また、外部底壁１３の上面である内底面ｆ１は下方に凸の円弧状をなす正面視形状をなしており、本例では、外部頂壁１１の下面及び内底面ｆ１を後述する凹凸面１４として形成している。本発明に於いて、内底面ｆ１は上記した下方に凸の円弧状をなす正面視形状である必要があるが、外部底壁１３はこの様な内底面ｆ１を備えていれば必ずしも下方に凸の円弧板状をなす正面視形状に形成されていなくても良い。
【００２３】
また、外部底壁１３に連続する第１延長底壁１５を備えている。この第１延長底壁１５は、前壁１０裏面より後方へ延設するとともに、外部底壁１３の内底面ｆ１に連続する同じ曲率半径の正面視円弧状の連続内底面ｆ１ａを備えている。そして、この外部底壁１３と第１延長底壁１５とで構成する壁部は半円よりも中心角が大きい、所謂優弧状の形態を備えている。連続内底面ｆ１ａの先端所定位置には内ケースＢの外ケースＡに対する揺動を規制するための係止突部１６を突設している。更に、外部頂壁１１の後縁より、内ケースＢとの摺動可能な嵌合を行うための上部係止突条１７を、外部頂壁１１の後縁に沿って垂設し、同様に外部底壁１３の後縁より、外部底壁１３の後縁に沿って下部係止突条１８を立設している。また、外部頂壁１１の自由端下面には係止凸部１９を突設している。
【００２４】
また、前壁１０前面には滑り止め用の凹凸２０を設けている。図示例では三本の線状突起を間隔をあけて突設している。この滑り止め用の凹凸は２０は前壁１０前面に設ける場合に限らず、後壁３０後面に設けても良く、或いは前壁１０前面と後壁３０後面の両方に設けてもよい。また、その具体的形態も上記線状突起に限らず、種々の凹凸形態を採用できる。
【００２５】
内ケースＢも合成樹脂製で、前面を開放し、内底面ｆ１を摺動する下方に凸の円弧状をなす正面視形状の外底面ｆ２を備えた扁平函型をなしており、本例では図３に示す如く、後壁３０と、後壁３０の上縁より前方へ延設した内部頂壁３１と、内部頂壁３１にそれぞれ連続するとともに、後壁３０の左右側縁部よりそれぞれ前方へ延設した内部左側壁３２及び内部右側壁３３と、内部左側壁３２と連続するとともに、後壁３０下縁より前方へ延設した下方に凸の円弧板状をなす正面形状の内部底壁３４とを備えている。内部頂壁３１は外部頂壁１１と同様に曲率半径の大きい上方に凸の円弧板状をなす正面視形状をなし、外部頂壁１１下面に摺動可能に嵌合している。また、内部底壁３４の下面である外底面ｆ２に連続する正面視円弧状の連続外底面ｆ２ａを備えた第２延長底壁３５を設けている。連続外底面ｆ２ａは外底面ｆ２と同じ曲率半径をなしている。また、第２延長底壁３５は、内部底壁３４の右端より連続して内部右側壁３３より内方へ突出し、内部右側壁３３下端との間に第１延長底壁１５が収納可能な隙間３６を設けている。
【００２６】
また、内部左側壁３２には区画壁３７を連設している。区画壁３７は、後壁３０より前方へ延設したものもので、内部左側壁３２の上部より右方へ延びた横壁３７ａと、横壁３７ａの先端より斜め下方に下り、内部左側壁３２の下部に連続する傾斜壁３７ｂとで構成しており、横壁３７ａの上方に画成した部分を取出部３８とし、それ以外の傾斜壁３７ｂ右側に画成した部分を収容部３９として構成している。また、内ケースＢの内部頂壁３１の後縁に沿って上部係止突条１７が摺動可能に嵌合する上部係合凹条４０を凹設するとともに、内ケースＢの内部底壁３４の後縁に沿って下部係止突条１８が摺動可能に嵌合する下部係合凹条４１を凹設している。また、内部頂壁３１上面所定位置には係止凸部１９と離脱可能に係合する係合凸部４３を突設している。
【００２７】
更に、内部頂壁３１上面の右半部を凹凸面部４２として形成しており、内部底壁３４の外底面ｆ２及び第２延長底壁３５の連続外底面ｆ２ａを凹凸面部４２として形成している。各凹凸面部４２は、対向する外部頂壁１１下面及び外部底壁１３の内底面ｆ１に形成された凹凸面１４と互いに容易な乗越えが可能に構成されており、一方、振動等により外ケースＡと内ケースＢとが揺動してしまう等を防ぐ揺動係止力は備えている。凹凸面１４と凹凸面部４２は同様形態であっても相違する形態であっても良く、具体的形態として、例えば、外部頂壁１１、外部底壁１３、内部頂壁３１、内部底壁３４等の壁部を横断する線状突部を等間隔に多数配列したもの、或いは多数の突起、例えば半球状突起、を分散突設したもの等が挙げられる。但し、具体的形態はこれらに限らず、相互に摩擦力を生じる形態であれば種々の凹凸形態を採用できる。従って、凹凸面１４と凹凸面部４２とは互いに開閉後方の制止力はあるものの、比較的小さな力で容易に乗り越えての摺動が可能である。尚、本発明ではこれらの凹凸面１４及び凹凸面部４２は必ずしも設けなくても初期の目的は達成できる。
【００２８】
そして、図１に示す如く、外ケースＡ内に、内ケースＢを、内底面ｆ１と外底面ｆ２との摺動による相対的な揺動が可能に嵌合している。図示例では内ケースＢの上部係合凹条４０に外ケースＡの上部係止突条１７を摺動可能に嵌合させ、また、内ケースＢの下部係合凹条４１に外ケースＡの下部係止突条１８を摺動可能に嵌合させて、相互の前後方向の抜け出しの防止を図っている。また、外部頂壁１１下面に内部頂壁３１上面を摺動可能に嵌合させるとともに、外部底壁１３の内底面ｆ１に内部底壁３４の外底面ｆ２を摺動可能に嵌合させている。この際外ケースＡの第１延長底壁１５は隙間３６より内方へ突出させている。また、外部頂壁１１下面の凹凸面１４が、内部頂壁３１上面の凹凸面部４２に、同様に外部底壁１３の内底面ｆ１の凹凸面１４が、内部底壁３４の外底面ｆ２の凹凸面部４２にそれぞれ当接して、相互が不用意に揺動しないように構成している。
【００２９】
また、上記状態では係合凸部４３が係止凸部１９に乗越え係合しており、第１延長底壁１５の係止突部１６と、第２延長底壁３５の先端部との間には所定の間隔があいている。そして、この状態から外ケースＡに対して内ケースＢを揺動させて第２延長底壁３５の先端が係止突部１６に突設するまでの所定角度の相対的な揺動が可能に嵌合している。
【００３０】
そして、内ケースＢを外ケースＡに対して揺動させた際に、第２延長底壁３５の先端が係止突部１６に当接すると、図４或いは図６に示す如く、取出部３８のみが開口する如く構成している。
【符号の説明】
【００３１】
１：粒状物用ケース
Ａ：外ケース
１０…前壁、１１…外部頂壁、１２…外部右側壁、１３…外部底壁、ｆ１…内底面、
１４…凹凸面、１５…第１延長底壁、ｆ１ａ…連続内底面、１６…係止突部、
１７…上部係止突条、１８…下部係止突条、１９…係止凸部、２０…滑り止め用の凹凸
Ｂ：内ケース
３０…後壁、３１…内部頂壁、３２…内部左側壁、３３…内部右側壁、３４…内部底壁、ｆ２…外底面、３５…第２延長底壁、ｆ２ａ…連続外底面、３６…隙間、３７…区画壁、３７ａ…横壁、３７ｂ…傾斜壁、３８…取出部、３９…収容部、４０…上部係合凹条、
４１…下部係合凹条、４２…凹凸面部、４３…係合凸部
【図１】
0005637602.tif 000002
【図２】
0005637602.tif 000003
【図３】
0005637602.tif 000004
【図４】
0005637602.tif 000005
【図５】
0005637602.tif 000006
【図６】
0005637602.tif 000007
【図７】
0005637602.tif 000008
【図８】
0005637602.tif 000009